(57)【要約】【課題】座席入力を迅速かつ正確に行えるようにする。【解決手段】座席状態管理テーブルと，この座席状態管理テーブルを参照して各座席の使用中状態および未使用状態を判別可能に座席一覧をタッチパネル付き表示器４０に表示する座席一覧表示制御手段と，座席入力取扱制御手段と，メニュー入力画面表示制御手段とを設け、タッチパネル付き表示器４０に表示された座席一覧の中から選択された座席（４１Ｋ）をタッチ操作して当該選択座席を入力可能かつ選択座席の入力後に座席一覧に代えてメニュー入力画面を表示可能に形成するとともに表示されたメニュー入力画面を参照して当該メニューを入力可能に形成されている。【選択図】  図１
2006107529.tif 000002
【特許請求の範囲】
【請求項１】
座席およびメニューを入力可能かつ入力された座席およびメニューを含むオーダーデータを外部に出力可能なハンディターミナルにおいて、各座席の使用中状態および未使用状態を判別できるように座席一覧をタッチパネル付き表示器に表示可能に形成し、表示された座席一覧の中から選択された座席をタッチ操作して当該選択座席を入力可能かつ選択座席の入力後に座席一覧に代えてメニュー入力画面を表示可能に形成するとともに表示されたメニュー入力画面を参照してメニューを入力可能に形成されているハンディターミナル。
【請求項２】
座席およびメニューを入力可能かつ入力された座席およびメニューを含むオーダーデータを外部に出力可能なハンディターミナルにおいて、各座席の使用中状態および未使用状態を管理可能に記憶する座席状態管理テーブルと，この座席状態管理テーブルを参照して各座席の使用中状態および未使用状態を判別可能に座席一覧をタッチパネル付き表示器に表示する座席一覧表示制御手段と，表示された座席一覧の中から選択された座席がタッチ操作された場合に当該選択座席の入力して取り扱う座席入力取扱制御手段と，選択座席の入力後に座席一覧に代えてメニュー入力画面を表示するメニュー入力画面表示制御手段とを設けたハンディターミナル。
【請求項３】
前記タッチパネル付き表示器に表示された座席一覧の中から選択入力された座席が未使用状態である場合には、前記メニュー入力画面の表示前に、新規オーダーに関する必須項目入力画面を表示するものとされている請求項１または請求項２記載のハンディターミナル。
【請求項４】
前記必須項目入力画面に表示される必須項目には少なくとも客人数が含まれる請求項３記載のハンディターミナル。
【請求項５】
前記必須項目入力画面には当該必須項目入力画面に表示される必須項目の入力内容一覧が表示される請求項４記載のハンディターミナル。
【請求項６】
前記必須項目入力画面に表示された前記入力内容一覧の中から選択した入力内容をタッチ操作することにより当該入力内容を入力することができる請求項５記載のハンディターミナル。
【請求項７】
前記メニュー入力画面には複数の表示メニューキーが含まれかつ選択された表示メニューキーをタッチ操作することにより当該メニューを入力することができる請求項１から請求項６までのいずれか１項に記載されたハンディターミナル。
【請求項８】
前記座席状態管理テーブルに記憶された座席状態管理内容が電源投入直後に前記外部から入手した最新の座席状態管理内容に更新される請求項２から請求項７までのいずれか１項に記載されたハンディターミナル。
【発明の詳細な説明】
【技術分野】
【０００１】
本発明は、テーブル，個室等の座席およびメニューを入力可能かつ入力された座席およびメニューを含むオーダーデータを外部に出力可能なハンディターミナルに関する。
【背景技術】
【０００２】
従来のオーダーデータ処理装置は、図１１に示すように、オーダーメニューを入力する複数のハンディターミナル１０Ｐと，入力されたオーダーデータを管理するオーダー管理手段７０（無線親局７８）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル１０１を廻って、携帯するハンディターミナル１０Ｐを用いて各客ＣＳＴのオーダーメニューを含むオーダーデータを順番に入力する。オーダーデータには、テーブル番号（座席），人数（客人数）等が含まれる。
【０００４】
オーダーデータは、オーダー管理手段７０で管理されるとともに、この手段７０を介して両プリンタ８０，８５に転送される。厨房４００ではキッチンプリンタ８５から発行されたオーダー伝票に基き調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き、自己担当の調理済メニューがあると、これを当該客ＣＳＴへ配膳しカスタマー伝票に手書きチェックを入れる。
【０００６】
飲食後の客ＣＳＴからカスタマー伝票を受取ったキャッシャーは、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のハンディターミナル１０Ｐは、図１２に示す如く、本体１５ＢＰの正面の大部分に複数の押圧メニューキー６１ＫＰを有する押圧メニューキー部６０Ｐを配置し、その上部に表示部４９Ｐを設けた構造とされている。しかし、この構造では、携帯性からの平面形状（大きさ）の制限および取扱い（押圧操作）性の妥当性確保の点から押圧メニューキー６１ＫＰの数を増大できない。
【０００８】
そこで、図１３に示すように、本体をヒンジ１９Ｐで連結された２枚扉体構造（１１Ｐ，１５Ｐ）として、それぞれに押圧メニューキー部６０Ｐ２，６０Ｐ１と表示部４９Ｐ２，４９Ｐ１とを設け、押圧メニューキー６１ＫＰを２倍数に増大したものがある。しかし、この構造は機械的制約から重くなる問題がある。
【発明の開示】
【発明が解決しようとする課題】
【０００９】
しかし、いずれのハンディターミナル１０Ｐでも、“座席”をキー入力してからメニュー入力しなければならない。また、取消し可能な追加オーダーとの区別のために、新規オーダーの場合には必須項目（例えば、客人数）を入力した後でなければ、メニュー入力をすることができない。しかも、“座席”の入力に際しては、新規オーダーの場合は、未使用状態の座席を見極めつつ選択的に入力しなければならない。一方、追加オーダーの場合には、使用中状態の当該“座席”を入力しなければならない。
【００１０】
かくして、店舗実稼動率を高めるには、迅速なメニュー入力を必要とするが、その前提となる“座席”の入力が煩雑で手間が掛かることから、その改善が急務となっている。
【００１１】
本発明の目的は、座席入力を迅速かつ正確に行える取扱い簡単なハンディターミナルを提供することにある。
【課題を解決するための手段】
【００１２】
請求項１の発明は、座席およびメニューを入力可能かつ入力された座席およびメニューを含むオーダーデータを外部に出力可能なハンディターミナルにおいて、各座席の使用中状態および未使用状態を判別できるように座席一覧をタッチパネル付き表示器に表示可能に形成し、表示された座席一覧の中から選択された座席をタッチ操作して当該選択座席を入力可能かつ選択座席の入力後に座席一覧に代えてメニュー入力画面を表示可能に形成するとともに表示されたメニュー入力画面を参照してメニューを入力可能に形成されているハンディターミナルである。
【００１３】
かかる発明では、座席一覧が、各座席の使用中状態および未使用状態を判別できるように、タッチパネル付き表示器に表示される。したがって、表示された座席一覧の中から使用中状態または未使用状態の座席を選択してタッチ操作すれば、例えばテーブル番号（例えば、“Ａ２−０２５”）をキー入力しなくても、当該選択座席（“Ａ２−０２５”）を入力することができる。
【００１４】
また、この選択座席の入力後に、タッチパネル付き表示器には、座席一覧に代えてメニュー入力画面が表示されかつ表示されたメニュー入力画面を参照してメニューを入力することができる。
【００１５】
したがって、座席入力を迅速かつ正確に行えかつこれに引き続きメユー入力することができるとともに、取扱い簡単であるから、業務能率を大幅に向上できる。
【００１６】
また、請求項２の発明は、座席およびメニューを入力可能かつ入力された座席およびメニューを含むオーダーデータを外部に出力可能なハンディターミナルにおいて、各座席の使用中状態および未使用状態を管理可能に記憶する座席状態管理テーブルと，この座席状態管理テーブルを参照して各座席の使用中状態および未使用状態を判別可能に座席一覧をタッチパネル付き表示器に表示する座席一覧表示制御手段と，表示された座席一覧の中から選択された座席がタッチ操作された場合に当該選択座席の入力して取り扱う座席入力取扱制御手段と，選択座席の入力後に座席一覧に代えてメニュー入力画面を表示するメニュー入力画面表示制御手段とを設けたハンディターミナルである。
【００１７】
かかる発明では、例えば電源投入時に、座席一覧表示制御手段は、座席状態管理テーブルを参照して各座席の使用中状態および未使用状態を判別可能に座席一覧をタッチパネル付き表示器に表示する。そして、座席入力取扱制御手段は、表示された座席一覧の中から使用中状態または未使用状態の座席（例えば、“Ａ２−０２５”）が選択してタッチ操作された場合に、当該座席（“Ａ２−０２５”）がキー入力された場合と同様に取り扱う。また、この選択座席の入力後に、メニュー入力画面表示制御手段が、座席一覧に代えてメニュー入力画面をタッチパネル付き表示器に表示する。このメニュー入力画面を参照して、メニューを入力することができる。
【００１８】
したがって、請求項１の発明の場合と同様な作用効果を奏し得ることはもとより、さらに座席一覧表示制御手段の動作タイミングを座席入力を必要とするタイミングに合わせておけば、一段と迅速に座席入力することができる。
【００１９】
また、請求項３の発明は、前記タッチパネル付き表示器に表示された座席一覧の中から選択入力された座席が未使用状態である場合には、前記メニュー入力画面の表示前に、新規オーダーに関する必須項目入力画面を表示するものとされているハンディターミナルである。
【００２０】
かかる発明では、タッチパネル付き表示器に表示された座席一覧の中から選択入力された座席が未使用状態である場合には、メニュー入力画面の表示前に、新規オーダーに関する必須項目入力画面が表示される。選択入力された座席が使用中状態である場合には、メニュー入力画面に切り替わる。
【００２１】
したがって、請求項１および請求項２の発明の場合と同様な作用効果を奏することができることに加え、さらに新規オーダーと追加オーダーとを区別するためのキー入力をしなくてもよくかつ新規オーダーのための必須項目を確実に入力することができる。
【００２２】
また、請求項４の発明は、前記必須項目入力画面に表示される必須項目には少なくとも客人数が含まれるものとされているハンディターミナルである。
【００２３】
かかる発明では、必須項目入力画面には、少なくても客人数を含む必須項目が表示される。したがって、請求項３の発明の場合と同様な作用効果を奏することができることに加え、さらに忘れがちな客人数をより確実に入力することができる。
【００２４】
また、請求項５の発明は、前記必須項目入力画面には当該必須項目入力画面に表示される必須項目の入力内容一覧が表示されるものとされているハンディターミナルである。
【００２５】
かかる発明では、必須項目入力画面には、表示された必須項目の入力すべき具体的内容も一覧表示される。したがって、請求項４の発明の場合と同様な作用効果を奏することができることに加え、さらに必須項目内容を正確かつ簡単に入力することができる。
【００２６】
さらに、請求項６の発明は、前記必須項目入力画面に表示された前記入力内容一覧の中から選択した入力内容をタッチ操作することにより当該入力内容を入力することができるハンディターミナルである。
【００２７】
かかる発明では、表示された必須項目内容をタッチ操作することにより当該入力内容を入力することができる。したがって、請求項５の発明の場合と同様な作用効果を奏することができることに加え、さらに必須項目内容をより迅速に入力することができる。
【００２８】
さらに、請求項７の発明は、前記メニュー入力画面には複数の表示メニューキーが含まれかつ選択された表示メニューキーをタッチ操作することにより当該メニューを入力することができるものとされているハンディターミナルである。
【００２９】
かかる発明では、座席一覧から直接にあるいは必須項目入力画面を介した後に表示されるメニュー入力画面中の表示メニューキーをタッチ操作することにより、当該メニューを入力することができる。したがって、請求項１から請求項６までの発明の場合と同様な作用効果を奏することができることに加え、さらに座席入力からメニュー入力までのオーダー入力をより迅速化できる。
【００３０】
さらにまた、請求項８の発明は、前記座席状態管理テーブルに記憶された座席状態管理内容が、電源投入直後に前記外部から入手した最新の座席状態管理内容に更新されるものとされているハンディターミナルである。
【００３１】
かかる発明では、電源を投入すると、座席状態管理テーブルに記憶された座席状態管理内容が、外部から入手した最新の座席状態管理内容に更新される。したがって、請求項２から請求項７までの発明の場合と同様な作用効果を奏することができることに加え、さらに各座席状態をリアルタイム的かつ正確に、しかも簡単に知ることができる。すなわち、正確な座席入力を行える。
【発明の効果】
【００３２】
請求項１の発明によれば、各座席の使用中状態および未使用状態を判別できるように座席一覧をタッチパネル付き表示器に表示可能に形成し、表示された座席一覧の中から選択された座席をタッチ操作して当該選択座席を入力可能かつ選択座席の入力後に座席一覧に代えてメニュー入力画面を表示可能に形成するとともに表示されたメニュー入力画面を参照してメニューを入力可能に形成されているハンディターミナルであるから、座席入力を迅速かつ正確に行えかつこれに引き続きメユー入力することができるとともに、取扱い簡単であるから業務能率を大幅に向上できる。
【００３３】
また、請求項２の発明によれば、座席状態管理テーブルと，この座席状態管理テーブルを参照して各座席の使用中状態および未使用状態を判別可能に座席一覧をタッチパネル付き表示器に表示する座席一覧表示制御手段と，座席入力取扱制御手段と，メニュー入力画面表示制御手段とを設け、表示された座席一覧の座席をタッチ操作して当該選択座席を入力可能かつメニュー入力画面を参照してメニューを入力可能に形成されているハンディターミナルであるから、請求項１の発明の場合と同様な効果を奏し得ることはもとより、さらに座席一覧表示制御手段の動作タイミングを座席入力を必要とするタイミングに合わせておけば、一段と迅速に座席入力することができる。
【００３４】
また、請求項３の発明によれば、タッチパネル付き表示器に表示された座席一覧の中から選択入力された座席が未使用状態である場合には、メニュー入力画面の表示前に、新規オーダーに関する必須項目入力画面を表示するものとされているので、請求項１および請求項２の発明の場合と同様な効果を奏することができることに加え、さらに新規オーダーと追加オーダーとを区別するためのキー入力をしなくてもよくかつ新規オーダーのための必須項目を確実に入力することができる。
【００３５】
また、請求項４の発明によれば、必須項目入力画面に表示される必須項目には少なくとも客人数が含まれるものとされているので、請求項３の発明の場合と同様な効果を奏することができることに加え、さらに忘れがちな客人数をより確実に入力することができる。
【００３６】
また、請求項５の発明によれば、必須項目入力画面には当該必須項目入力画面に表示される必須項目の入力内容一覧が表示されるものとされているので、請求項４の発明の場合と同様な効果を奏することができることに加え、さらに必須項目内容を正確かつ簡単に入力することができる。
【００３７】
さらに、請求項６の発明によれば、必須項目入力画面に表示された入力内容一覧の中から選択した入力内容をタッチ操作することにより当該入力内容を入力することができるものとされているので、請求項５の発明の場合と同様な効果を奏することができることに加え、さらに必須項目内容をより迅速に入力することができる。
【００３８】
さらに、請求項７の発明によれば、メニュー入力画面には複数の表示メニューキーが含まれかつ選択された表示メニューキーをタッチ操作することにより当該メニューを入力することができるものとされているので、請求項１から請求項６までの発明の場合と同様な効果を奏することができることに加え、さらに座席入力からメニュー入力までのオーダー入力をより迅速化できる。
【００３９】
さらにまた、請求項８の発明によれば、座席状態管理テーブルに記憶された座席状態管理内容が、電源投入直後に前記外部から入手した最新の座席状態管理内容に更新されるものとされているので、請求項２から請求項７までの発明の場合と同様な効果を奏することができることに加え、さらに各座席状態をリアルタイム的かつ正確に、しかも簡単に知ることができる。すなわち、正確な座席入力を行える。
【発明を実施するための最良の形態】
【００４０】
以下、本発明の実施形態について図面を参照して説明する。本ハンディターミナル１０は、図１〜図３に示す如く、各座席の使用中状態および未使用状態を管理可能に記憶する座席状態管理テーブル２３ＳＴと，この座席状態管理テーブルを参照して各座席の使用中状態および未使用状態を判別可能に座席一覧をタッチパネル付き表示器４０に表示する座席一覧表示制御手段（２１，２２）と，表示された座席一覧の中から選択された座席がタッチ操作された場合に当該選択座席の入力して取り扱う座席入力取扱制御手段（２１，２２）と，選択座席の入力後に座席一覧に代えてメニュー入力画面を表示するメニュー入力画面表示制御手段（２１，２２）とを設け、タッチパネル付き表示器４０に表示された座席一覧の中から選択された座席をタッチ操作して当該選択座席を入力可能かつ選択座席の入力後に座席一覧に代えてメニュー入力画面を表示可能に形成するとともに、表示されたメニュー入力画面を参照して当該メニューを入力可能に形成されている。
【００４１】
なお、本ハンディターミナル１０は、従来例（図１１）の場合と同様なオーダーデータ処理装置のハンディターミナルとして利用される。ただし、この実施形態では、図１〜図４にハンディターミナル１０の構成を示し、図５にステーション（オーダー管理手段）７０の構成を示している。オーダーデータ処理装置を構成する他の構成要素（プリンタ，会計手段等）については、図示省略した。
【００４２】
図１，図２において、ハンディターミナル（ＨＴ）１０は、見開き可能な一方扉体（本体）１１と他方扉体（本体）１５とからなる。一方扉体１１内には、全体構成を概念的に示す図３の制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，押圧データ入力キー部５０用の駆動制御回路（Ｉ／Ｆ）５０Ｄと，押圧操作型の固定キー部６０用の駆動制御回路（Ｉ／Ｆ）６０Ｄとが格納されている。
【００４３】
ＲＡＭ２３は、データ処理作業領域を形成する他、オーダーテーブル２３ＯＴ，メニューテーブル２３ＭＴおよび座席状態管理テーブル２３ＳＴを形成する。この座席状態管理テーブル２３ＳＴには、例えば図４に示す如く、各座席（テーブル番号）と当該各状態（フラグ“０”…未使用状態，フラグ“１”…使用中状態）とが対応記憶される。
【００４４】
本体（１１，１５）の見開き状態を示す図１において、他方扉体１５の内面１５Ｉの大部分には、複数の固定メニューキー６１Ｋを有する固定キー部６０が設けられ、その上方部に覗き窓１７が設けられている。覗き窓１７は、透明プラスチック製である。
【００４５】
この実施形態の各固定メニューキー６１Ｋの数は固定キー６１ＫＰを採用する従来例（図１２，図１３）の場合と同様な数である。大きさ（平面面積）も同様な大きさである。したがって、押圧操作型の固定メニューキー６１Ｋを用いた入力作業については、従来例の場合と同様と言える。
【００４６】
しかし、この実施形態では、固定メニューキー６１Ｋを、下位概念的な単品メニュー（例えば、“Ａ定食”，“Ｂ定食”，“Ｃ定食”）に対する上位概念的な分類メニュー（例えば、“定食”）用としてあるので、従来の上位・下位概念的メニューが混在している場合よりも、１つの固定メニューキー６１Ｋを選択する際の作業が簡単で、迅速かつ正確なメニュー入力を達成するのに非常に有効である。もとより、表示メニューキー４１Ｋを大幅に増大できる。
【００４７】
この他方扉体１５とヒンジ１９を介して見開き可能に連結された一方扉体１１の内面１１Ｉの大部分には、タッチパネル付き表示器４０（表示面４１Ｇ）が取り付けられている。
【００４８】
すなわち、表示面４１Ｇには、固定メニューキー６１Ｋを押圧操作することによって、当該固定キーに割付けられた複数のメニュー（表示メニューキー４１Ｋ）を、図１０に示す如く、切替え表示することができる。各表示メニューキー４１Ｋの平面面積（大きさ）は、固定メニューキー６１Ｋの平面面積よりも大きくされている。
【００４９】
例えば、右側の固定メニューキー（“Ｘ”…定食）よりも左側の表示メニューキー（“Ａ定食”，“Ｂ定食”等）４１Ｋの方が平面面積大きい。タッチ操作の方が、固定メニューキー６１Ｋの押圧操作の場合に比較して、隣接する他のキー４１Ｋに触れ易くかつそれによりミス入力が生じ易いと言う欠点を一掃化するためである。
【００５０】
また、この実施形態では、具体的なメニュー入力頻度の多い表示メニューキー４１Ｋが配置されていること、制御部２０等が装着されているので重量が他方扉体１５に比較して重くなることおよびこの実施形態では右利き用に設計してあることから、この一方扉体１１を手持ち側としてある。
【００５１】
かくして、メニュー入力を安定して行えるとともに、信号線の多いタッチパネル付き表示器４０とその駆動制御回路（Ｉ／Ｆ）４０Ｄとを近接位置できるから、性能を高められる。しかも、外部ノイズの影響や電力ロスを軽減できる。
【００５２】
また、図１に示す表示面４１Ｇの下方定位置に設けられた押圧データ入力キー部５０の押圧データ入力キー５１Ｋを押圧操作して、入力された数量（例えば、“２”）も表示面４１Ｇに表示される。ただし、数量（“１”）は自動入力とし、数量“２”以上の場合に押圧データ入力キー５１Ｋを用いて入力するように形成してある。
【００５３】
この押圧データ入力キー部５０は、オーダーメニュー以外のデータを、入力するためのものでかつ入力使用頻度の高い押圧データ入力キー５１Ｋからなる。この実施形態では、図１に示す“０”〜“９”を入力する置数キー，“Ｔ”と記した転送キー，“Ｅ”と記したエンターキー，“Ｃ”と記したクリアーキーである。
【００５４】
かくすれば、押圧データ入力キー５１Ｋを、固定メニューキー６１Ｋと隣接させて他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００５５】
また、図１，図２に示す上方の定位置表示部４２は、閉じた状態を示す図２に示す覗き窓１７に対応する定位置とされている。この定位置表示部４２には、表示メニューキー４１Ｋでない情報が表示される。つまり、図１に示す見開き状態（使用状態）で表示メニューキー４１Ｋを表示可能な部位（４２）に、他の情報（例えば、呼出しメッセージ，通信エラーメッセージおよびバッテリー情報）を表示することができる。
【００５６】
したがって、表示面４１Ｇに情報表示用の専門部位を格別に設けなくてもよいから、本体（１１，１５）小型化を図りつつ見開き状態時の表示メニューキー４１Ｋの数をより増大することができる。また、結果として、ミス入力を防止できかつその後のメニュー入力をより確実に行えるとともに、業務能率を向上できる。
【００５７】
図５において、オーダー管理手段を形成するステーション（ＳＴＮ）７０は、ＣＰＵ７１，ＲＯＭ７２，ＲＡＭ７３，ＨＤＤ（ハードディスク装置）７４，キーボード（ＫＢ）７５，表示器（ＩＮＤ）７６，無線親局７８が接続されたインターフェイス（Ｉ／Ｆ）およびデーター通信回線７９用のインターフェイス（Ｉ／Ｆ）を含み、オーダーデータを座席別に一括管理可能である。
【００５８】
ＲＡＭ７３内には、オーダー（売上）ファイル７３ＯＦと座席状態管理ファイル７３ＳＦとメニューファイル７３ＭＦとが設けられている。この座席状態管理ファイル７３ＳＦは、図４に示す座席状態管理テーブル２３ＳＴの場合と同様である。
【００５９】
ここにおいて、ハンディターミナル１０の電源を投入（ＯＮ）すると、問合手段（ＣＰＵ２１，ＲＯＭ２２）が、オーダー管理手段（７０）に座席状態管理情報を問合せる（図６のＳＴ１０でＮＯ，ＳＴ１５）。
【００６０】
これを受信（図８のＳＴ３２でＹＥＳ）したオーダー管理手段（７０）側では、座席状態管理ファイル７３ＳＦを検索（ＳＴ３３）して、当該時点つまり最新の座席状態管理情報を読み出し当該ハンディターミナル１０に応答する（ＳＴ３４）。
【００６１】
当該ハンディターミナル１０では、更新制御手段（ＣＰＵ２１，ＲＯＭ２２）が、図４に示す座席状態管理テーブル２３ＳＴの状態欄を更新する（図６のＳＴ１６，ＳＴ１７）。すなわち、座席状態管理テーブル２３ＳＴに記憶された座席状態管理内容を、電源投入直後に外部（７０）から入手した最新の座席状態管理内容で更新（書き換え）することができる。したがって、各ハンディターミナル１０においてかつその場で、店舗内の各座席状態をリアルタイム的かつ正確に、しかも簡単に知ることができる。
【００６２】
すると、座席一覧表示制御手段（ＣＰＵ２１，ＲＯＭ２２）が、座席状態管理テーブル２３ＳＴを参照（検索）して各座席の使用中状態および未使用状態を判別可能に座席一覧をタッチパネル付き表示器４０（表示面４１Ｇ）に表示する（ＳＴ１０のＹＥＳ，ＳＴ１１，ＳＴ１２）。
【００６３】
例えば、使用中状態の座席は赤色，未使用状態の座席は青色として、図１に示すように表示する。
【００６４】
ここで、表示された座席一覧の中から選択された座席（表示座席キー４１Ｋ）がタッチ操作（ＳＴ１３のＹＥＳ）されると、座席入力取扱制御手段（ＣＰＵ２１，ＲＯＭ２２）が当該選択座席の入力して取り扱う（ＳＴ１４）。キー入力による従来例の場合と比較して、座席入力を迅速かつ正確に行える。
【００６５】
このように、タッチパネル付き表示器４０に表示された座席一覧の中から座席が選択入力されると、判別手段（ＣＰＵ２１，ＲＯＭ２２）が当該選択座席（例えば、図１に示す“Ａ０１”）が未使用状態であるか否かを判別する（図７のＳＴ１８）。
【００６６】
未使用状態（フラグ“０”）であると判別（ＳＴ１８のＹＥＳ）された場合には、メニュー入力画面の表示前に、必須項目入力画面表示制御手段（ＣＰＵ２１，ＲＯＭ２２）が新規オーダーに関する必須項目入力画面（図９参照）を表示する（ＳＴ１９）。
【００６７】
この必須項目入力画面に表示される必須項目には、少なくとも客人数が含まれる。忘れがちな客人数をより確実に入力することができる。なお、客人数は、置数キー（５１Ｋ）を用いて入力する。
【００６８】
また、この実施形態では、必須項目には図９に示す“客種”も含まれる。さらに、当該必須項目入力画面に表示される必須項目（例えば、“客種”）の入力内容一覧（例えば、“子供”，“青年”，“中年”，“老年”）が表示される（ＳＴ１９）。しかも、当該入力内容（“青年”）をタッチ操作すれば、当該内容を含む必須項目の入力をすることができる（ＳＴ２０のＹＥＳ）。したがって、必須項目内容を正確かつ簡単に入力することができる。
【００６９】
かくして、必須項目の入力後に、メニュー入力画面表示制御手段（ＣＰＵ２１，ＲＯＭ２２）が、必須項目入力画面（図９）に代えてメニュー入力画面（図１０）をタッチパネル付き表示器４０に表示する（ＳＴ２１）。なお、選択座席が使用中状態（フラグ“１”）の場合（ＳＴ１８のＮＯ）には、座席一覧（図１）に代えてメニュー入力画面をタッチパネル付き表示器に直ちに切替表示する。
【００７０】
図１０に示すメニュー入力画面を参照して、つまり、表示メニューキー４１Ｋをタッチ操作することによる、当該メニューを入力することができる（ＳＴ２２のＹＥＳ，ＳＴ２３）。入力された選択座席，メニュー等を含むオーダーデータは、登録制御手段によってオーダーテーブル２３ＯＴに登録（ＳＴ２４）される。
【００７１】
そして、転送（”Ｔ”）キー５１Ｋの押圧操作（ＳＴ２５のＹＥＳ）で、ステーション７０に転送される（ＳＴ２６）。ステーション７０では、このオーダーデータをオーダーファイル７３ＯＦに登録する（図８のＳＴ３０，ＳＴ３１）。この登録および会計済みによる消去によって、座席状況管理ファイル７３ＳＦは、更新される。
【００７２】
ハンディターミナル１０側では、転送後に電源がＯＦＦされる（ＳＴ２７のＹＥＳ）。節電を図りかつ電源再投入時の座席状態管理情報の更新実行を担保するためである。
【００７３】
かかる第１の実施形態では、係員は手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する。ここで、電源をＯＮする。
【００７４】
電源を投入すると、更新制御手段（２１，２２）が、座席状態管理テーブル２３ＳＴに記憶された座席状態管理内容を外部（７０）から入手した最新の座席状態管理内容に更新する（図６のＳＴ１０，ＳＴ１５〜ＳＴ１７）。
【００７５】
すると、座席一覧表示制御手段（２１，２２）は、座席状態管理テーブル２３ＳＴを参照して各座席の使用中状態および未使用状態を判別可能に、図１に示すような座席一覧（“Ａ０１”，“Ａ０２”，“Ａ０３”…）をタッチパネル付き表示器４０に表示する（ＳＴ１１〜ＳＴ１２）。
【００７６】
そして、座席入力取扱制御手段（２１，２２）は、表示された座席一覧の中から使用中状態または未使用状態の座席（例えば、“Ａ０１”…座席キー４１Ｋ）が選択してタッチ操作された場合に、当該座席（“Ａ０１”）がキー入力された場合と同様に取り扱う（ＳＴ１３，ＳＴ１４）。
【００７７】
次いで、判別手段（２１，２２）が当該選択座席（“Ａ０１”）が未使用状態であるか否かを判別する（図７のＳＴ１８）。未使用状態（フラグ“０”）であると判別（ＳＴ１８のＹＥＳ）された場合には、メニュー入力画面の表示前に、必須項目入力画面表示制御手段（２１，２２）が新規オーダーに関する必須項目入力画面（図９参照）を表示する（ＳＴ１９）。
【００７８】
この必須項目入力画面に表示される必須項目には少なくとも客人数が含まれる。また、当該必須項目入力画面に表示される必須項目（例えば、“客種”）の入力内容一覧（例えば、“子供”，“青年”，“中年”，“老年”）が表示される（ＳＴ１９）。しかも、当該入力内容（“青年”）をタッチ操作すれば、当該内容を含む必須項目の入力をすることができる（ＳＴ２０のＹＥＳ）。忘れがちな客人数を含む必須項目内容を正確かつ簡単に入力することができる。
【００７９】
しかる後に、メニュー入力画面表示制御手段（２１，２２）が、座席一覧に代えて図１０に示すメニュー入力画面をタッチパネル付き表示器４０に表示する（ＳＴ２１）。このメニュー入力画面を参照して、メニュー（例えば、“Ａ定”）を入力することができる（ＳＴ２２）。
【００８０】
制御部２０は、無線通信部（ＷＬＴ）３５を介してオーダ−管理手段（７０）から、情報を受信すると、当該情報をタッチパネル付き表示器４０の上方の定位置表示部４２に表示する。したがって、係員は、外部から覗き窓１７を通してこの情報を目読できるから、当該情報に最適な行動を迅速にとれる。例えば、押圧データ入力キー（クリアキー）５１Ｋを用いるために、本体（１１，１５）を図１に示す如く見開くと、当該情報は表示がクリアされる。
【００８１】
しかして、この実施形態によれば、各座席の使用中状態および未使用状態を判別できるように座席一覧をタッチパネル付き表示器４０に表示可能に形成し、表示された座席一覧の中から選択された座席（４１Ｋ）をタッチ操作して当該選択座席を入力可能かつ選択座席の入力後に座席一覧に代えてメニュー入力画面を表示可能に形成するとともに表示されたメニュー入力画面を参照してメニューを入力可能に形成されているので、座席入力を迅速かつ正確に行えかつこれに引き続きメユー入力することができるとともに、取扱い簡単であるから業務能率を大幅に向上できる。
【００８２】
また、座席状態管理テーブル２３ＳＴと，この座席状態管理テーブルを参照して各座席の使用中状態および未使用状態を判別可能に座席一覧をタッチパネル付き表示器４０に表示する座席一覧表示制御手段（２１，２２）と，座席入力取扱制御手段（２１，２２）と，メニュー入力画面表示制御手段（２１，２２）とを設け、表示された座席一覧の座席をタッチ操作して当該選択座席を入力可能かつメニュー入力画面を参照してメニューを入力可能に形成されているので、座席一覧表示制御手段（２１，２２）の動作タイミングを座席入力を必要とするタイミングに合わせておけば、一段と迅速に座席入力することができる。
【００８３】
また、タッチパネル付き表示器４０に表示された座席一覧の中から選択入力された座席が未使用状態である場合には、メニュー入力画面の表示前に、新規オーダーに関する必須項目入力画面を表示するものと形成されているので、新規オーダーと追加オーダーとを区別するためのキー入力をしなくてもよくかつ新規オーダーのための必須項目を確実に入力することができる。
【００８４】
また、必須項目入力画面に表示される必須項目には少なくとも客人数が含まれるものと形成されているので、忘れがちな客人数をより確実に入力することができる。
【００８５】
また、必須項目入力画面には当該必須項目入力画面に表示される必須項目の入力内容一覧が表示されるものと形成されているので、必須項目内容を正確かつ簡単に入力することができる。
【００８６】
また、必須項目入力画面に表示された入力内容一覧の中から選択した入力内容をタッチ操作することにより当該入力内容を入力することができるものと形成されているので、必須項目内容をより迅速に入力することができる。
【００８７】
また、メニュー入力画面には複数の表示メニューキー４１Ｋが含まれかつ選択された表示メニューキー４１Ｋをタッチ操作することにより当該メニューを入力することができるものと形成されているので、座席入力からメニュー入力までのオーダー入力をより迅速化できる。
【００８８】
また、座席状態管理テーブル２３ＳＴに記憶された座席状態管理内容が、電源投入直後に外部（７０）から入手した最新の座席状態管理内容に更新されるものと形成されているので、各座席状態をリアルタイム的かつ正確に、しかも簡単に知ることができる。すなわち、正確な座席入力を行える。
【００８９】
さらに、ハンディターミナル１０の固定メニューキー６１Ｋを押圧操作した場合にメニューテーブル２３ＭＴに記憶されている当該固定メニューキー６１Ｋに属する複数のメニューをタッチパネル付き表示器４０に一覧表示可能かつ表示された表示メニューキー４１Ｋをタッチ操作することにより当該メニューを入力可能であるので、ハンディターミナル１０のメニューキー４１Ｋを大幅に増大できるとともにタッチ操作でよいから取い扱いが容易であり、迅速かつ正確なメニュー入力を行える。
【００９０】
さらに、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０の表示面４１Ｇを有効利用できるとともに、品切れメニューや空きテーブル等に関する情報伝達機能を付加できる。
【００９１】
さらに、一方扉体１１の内面１１Ｉの定位置（５０）に、オーダーメニュー以外のデータを入力するためのものでかつ入力使用頻度の高い押圧データ入力キー（置数キー，伝送キーＴ，要求きーＤ，エンターキーＥ，クリアキーＣ）５１Ｋが設けられているので、この押圧データ入力キー５１Ｋを他方扉体１５側の分類キー６１Ｋと隣接させて当該他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００９２】
さらにまた、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００９３】
さらにまた、一方扉体１１側の表示メニューキー４１Ｋの平面面積が他方扉体１５側の固定メニューキー６１Ｋの平面面積よりも大きいので、最終的なメニュー入力頻度が多い表示メニューキー４１Ｋのミス操作を確実に防止できかつタッチ操作が一段と容易になる。この点からも、迅速なメニュー入力ができる。
【図面の簡単な説明】
【００９４】
【図１】本発明の実施形態に係る本体の見開き状態を説明するための平面図。
【図２】同じく、閉じた状態で他方扉体の外面側から見た平面図。
【図３】同じく、全体構成を説明するためのブロック図。
【図４】同じく、座席状態管理テーブルを説明するための図。
【図５】同じく、オーダー管理手段を説明するためのブロック図。
【図６】同じく、ハンディターミナル側の動作を説明するためのフローチャート（１）。
【図７】同じく、ハンディターミナル側の動作を説明するためのフローチャート（２）。
【図８】同じく、オーダー管理手段側の動作を説明するためのフローチャート。
【図９】同じく、必須項目入力画面および入力内容を説明するための図。
【図１０】同じく、メニュー入力画面および表示メニューキーを説明するための図。
【図１１】本発明および従来例にかかるハンディターミナルを使用するオーダーデータ処理装置の１例を説明するための図。
【図１２】従来例のハンディターミナル（１）を説明するための図。
【図１３】従来例のハンディターミナル（２）を説明するための図。
【符号の説明】
【００９５】
１０  ハンディターミナル
１１  一方扉体
１５  他方扉体
２０  制御部
２１  ＣＰＵ（座席一覧表示制御手段，座席入力取扱制御手段，メニュー入力画面表示制御手段）
２２  ＲＯＭ（座席一覧表示制御手段，座席入力取扱制御手段，メニュー入力画面表示制御手段）
２３  ＲＡＭ
２３ＭＴ  メニューテーブル
２３ＯＴ  オーダーテーブル
２３ＳＴ  座席状態管理テーブル
４０  タッチパネル付き表示器
４１Ｋ  座席キー，表示メニューキー
５０  押圧データ入力キー部
５１Ｋ  押圧データ入力キー
６０  固定キー部
６１Ｋ  固定メニューキー
７０  ステーション（オーダー管理手段…外部）
７１  ＣＰＵ
７２  ＲＯＭ
７３  ＲＡＭ
７３ＭＦ  メニューファイル
７３ＯＦ  オーダーファイル
７３ＳＦ  座席状態管理ファイル
【図１】
2006107529.tif 000003
【図２】
2006107529.tif 000004
【図３】
2006107529.tif 000005
【図４】
2006107529.tif 000006
【図５】
2006107529.tif 000007
【図６】
2006107529.tif 000008
【図７】
2006107529.tif 000009
【図８】
2006107529.tif 000010
【図９】
2006107529.tif 000011
【図１０】
2006107529.tif 000012
【図１１】
2006107529.tif 000013
【図１２】
2006107529.tif 000014
【図１３】
2006107529.tif 000015
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
座席およびメニューを入力可能かつ入力された座席およびメニューを含むオーダーデータを外部に出力可能なハンディターミナルにおいて、
各座席の使用中状態および未使用状態を管理可能に記憶する座席状態管理テーブルと、
前記座席状態管理テーブルに記憶された座席状態管理内容を前記外部に問合せる問合手段と、
前記問合せ手段によって入手した最新の座席状態管理内容で前記座席状態管理テーブルを更新する更新制御手段と、
この座席状態管理テーブルを参照して各座席の使用中状態および未使用状態を判別可能に座席一覧をタッチパネル付き表示器に表示する座席一覧表示制御手段と、
を設けたハンディターミナル。
【手続補正２】
【補正対象書類名】明細書
【補正対象項目名】全文
【補正方法】変更
【補正の内容】
【発明の詳細な説明】
【技術分野】
【０００１】
本発明は、テーブル，個室等の座席およびメニューを入力可能かつ入力された座席およびメニューを含むオーダーデータを外部に出力可能なハンディターミナルに関する。
【背景技術】
【０００２】
従来のオーダーデータ処理装置は、図１１に示すように、オーダーメニューを入力する複数のハンディターミナル１０Ｐと，入力されたオーダーデータを管理するオーダー管理手段７０（無線親局７８）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル１０１を廻って、携帯するハンディターミナル１０Ｐを用いて各客ＣＳＴのオーダーメニューを含むオーダーデータを順番に入力する。オーダーデータには、テーブル番号（座席），人数（客人数）等が含まれる。
【０００４】
オーダーデータは、オーダー管理手段７０で管理されるとともに、この手段７０を介して両プリンタ８０，８５に転送される。厨房４００ではキッチンプリンタ８５から発行されたオーダー伝票に基き調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き、自己担当の調理済メニューがあると、これを当該客ＣＳＴへ配膳しカスタマー伝票に手書きチェックを入れる。
【０００６】
飲食後の客ＣＳＴからカスタマー伝票を受取ったキャッシャーは、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のハンディターミナル１０Ｐは、図１２に示す如く、本体１５ＢＰの正面の大部分に複数の押圧メニューキー６１ＫＰを有する押圧メニューキー部６０Ｐを配置し、その上部に表示部４９Ｐを設けた構造とされている。しかし、この構造では、携帯性からの平面形状（大きさ）の制限および取扱い（押圧操作）性の妥当性確保の点から押圧メニューキー６１ＫＰの数を増大できない。
【０００８】
そこで、図１３に示すように、本体をヒンジ１９Ｐで連結された２枚扉体構造（１１Ｐ，１５Ｐ）として、それぞれに押圧メニューキー部６０Ｐ２，６０Ｐ１と表示部４９Ｐ２，４９Ｐ１とを設け、押圧メニューキー６１ＫＰを２倍数に増大したものがある。しかし、この構造は機械的制約から重くなる問題がある。
【発明の開示】
【発明が解決しようとする課題】
【０００９】
しかし、いずれのハンディターミナル１０Ｐでも、“座席”をキー入力してからメニュー入力しなければならない。また、取消し可能な追加オーダーとの区別のために、新規オーダーの場合には必須項目（例えば、客人数）を入力した後でなければ、メニュー入力をすることができない。しかも、“座席”の入力に際しては、新規オーダーの場合は、未使用状態の座席を見極めつつ選択的に入力しなければならない。一方、追加オーダーの場合には、使用中状態の当該“座席”を入力しなければならない。
【００１０】
かくして、店舗実稼動率を高めるには、迅速なメニュー入力を必要とするが、その前提となる“座席”の入力が煩雑で手間が掛かることから、その改善が急務となっている。
【００１１】
本発明の目的は、座席入力を迅速かつ正確に行える取扱い簡単なハンディターミナルを提供することにある。
【課題を解決するための手段】
【００１２】
請求項１の発明は、座席およびメニューを入力可能かつ入力された座席およびメニューを含むオーダーデータを外部に出力可能なハンディターミナルにおいて、各座席の使用中状態および未使用状態を管理可能に記憶する座席状態管理テーブルと、前記座席状態管理テーブルに記憶された座席状態管理内容を前記外部に問合せる問合手段と、前記問合せ手段によって入手した最新の座席状態管理内容で前記座席状態管理テーブルを更新する更新制御手段と、この座席状態管理テーブルを参照して各座席の使用中状態および未使用状態を判別可能に座席一覧をタッチパネル付き表示器に表示する座席一覧表示制御手段と、を設けたハンディターミナルである。
【発明の効果】
【００１３】
請求項１の発明によれば、例えば電源投入時に、座席一覧表示制御手段は、座席状態管理テーブルを参照して各座席の使用中状態および未使用状態を判別可能に座席一覧をタッチパネル付き表示器に表示する。そして、座席入力取扱制御手段は、表示された座席一覧の中から使用中状態または未使用状態の座席（例えば、“Ａ２−０２５”）が選択してタッチ操作された場合に、当該座席（“Ａ２−０２５”）がキー入力された場合と同様に取り扱う。また、この選択座席の入力後に、メニュー入力画面表示制御手段が、座席一覧に代えてメニュー入力画面をタッチパネル付き表示器に表示する。このメニュー入力画面を参照して、メニューを入力することができる。
【００１４】
したがって、座席一覧表示制御手段の動作タイミングを座席入力を必要とするタイミングに合わせておけば、一段と迅速に座席入力することができる。
【００１５】
さらにまた、座席状態管理テーブルに記憶された座席状態管理内容が、前記外部から入手した最新の座席状態管理内容に更新されるものとされているので、各座席状態をリアルタイム的かつ正確に、しかも簡単に知ることができる。すなわち、正確な座席入力を行える。
【発明を実施するための最良の形態】
【００１６】
以下、本発明の実施形態について図面を参照して説明する。本ハンディターミナル１０は、図１〜図３に示す如く、各座席の使用中状態および未使用状態を管理可能に記憶する座席状態管理テーブル２３ＳＴと，この座席状態管理テーブルを参照して各座席の使用中状態および未使用状態を判別可能に座席一覧をタッチパネル付き表示器４０に表示する座席一覧表示制御手段（２１，２２）と，表示された座席一覧の中から選択された座席がタッチ操作された場合に当該選択座席の入力して取り扱う座席入力取扱制御手段（２１，２２）と，選択座席の入力後に座席一覧に代えてメニュー入力画面を表示するメニュー入力画面表示制御手段（２１，２２）とを設け、タッチパネル付き表示器４０に表示された座席一覧の中から選択された座席をタッチ操作して当該選択座席を入力可能かつ選択座席の入力後に座席一覧に代えてメニュー入力画面を表示可能に形成するとともに、表示されたメニュー入力画面を参照して当該メニューを入力可能に形成されている。
【００１７】
なお、本ハンディターミナル１０は、従来例（図１１）の場合と同様なオーダーデータ処理装置のハンディターミナルとして利用される。ただし、この実施形態では、図１〜図４にハンディターミナル１０の構成を示し、図５にステーション（オーダー管理手段）７０の構成を示している。オーダーデータ処理装置を構成する他の構成要素（プリンタ，会計手段等）については、図示省略した。
【００１８】
図１，図２において、ハンディターミナル（ＨＴ）１０は、見開き可能な一方扉体（本体）１１と他方扉体（本体）１５とからなる。一方扉体１１内には、全体構成を概念的に示す図３の制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，押圧データ入力キー部５０用の駆動制御回路（Ｉ／Ｆ）５０Ｄと，押圧操作型の固定キー部６０用の駆動制御回路（Ｉ／Ｆ）６０Ｄとが格納されている。
【００１９】
ＲＡＭ２３は、データ処理作業領域を形成する他、オーダーテーブル２３ＯＴ，メニューテーブル２３ＭＴおよび座席状態管理テーブル２３ＳＴを形成する。この座席状態管理テーブル２３ＳＴには、例えば図４に示す如く、各座席（テーブル番号）と当該各状態（フラグ“０”…未使用状態，フラグ“１”…使用中状態）とが対応記憶される。
【００２０】
本体（１１，１５）の見開き状態を示す図１において、他方扉体１５の内面１５Ｉの大部分には、複数の固定メニューキー６１Ｋを有する固定キー部６０が設けられ、その上方部に覗き窓１７が設けられている。覗き窓１７は、透明プラスチック製である。
【００２１】
この実施形態の各固定メニューキー６１Ｋの数は固定キー６１ＫＰを採用する従来例（図１２，図１３）の場合と同様な数である。大きさ（平面面積）も同様な大きさである。したがって、押圧操作型の固定メニューキー６１Ｋを用いた入力作業については、従来例の場合と同様と言える。
【００２２】
しかし、この実施形態では、固定メニューキー６１Ｋを、下位概念的な単品メニュー（例えば、“Ａ定食”，“Ｂ定食”，“Ｃ定食”）に対する上位概念的な分類メニュー（例えば、“定食”）用としてあるので、従来の上位・下位概念的メニューが混在している場合よりも、１つの固定メニューキー６１Ｋを選択する際の作業が簡単で、迅速かつ正確なメニュー入力を達成するのに非常に有効である。もとより、表示メニューキー４１Ｋを大幅に増大できる。
【００２３】
この他方扉体１５とヒンジ１９を介して見開き可能に連結された一方扉体１１の内面１１Ｉの大部分には、タッチパネル付き表示器４０（表示面４１Ｇ）が取り付けられている。
【００２４】
すなわち、表示面４１Ｇには、固定メニューキー６１Ｋを押圧操作することによって、当該固定キーに割付けられた複数のメニュー（表示メニューキー４１Ｋ）を、図１０に示す如く、切替え表示することができる。各表示メニューキー４１Ｋの平面面積（大きさ）は、固定メニューキー６１Ｋの平面面積よりも大きくされている。
【００２５】
例えば、右側の固定メニューキー（“Ｘ”…定食）よりも左側の表示メニューキー（“Ａ定食”，“Ｂ定食”等）４１Ｋの方が平面面積大きい。タッチ操作の方が、固定メニューキー６１Ｋの押圧操作の場合に比較して、隣接する他のキー４１Ｋに触れ易くかつそれによりミス入力が生じ易いと言う欠点を一掃化するためである。
【００２６】
また、この実施形態では、具体的なメニュー入力頻度の多い表示メニューキー４１Ｋが配置されていること、制御部２０等が装着されているので重量が他方扉体１５に比較して重くなることおよびこの実施形態では右利き用に設計してあることから、この一方扉体１１を手持ち側としてある。
【００２７】
かくして、メニュー入力を安定して行えるとともに、信号線の多いタッチパネル付き表示器４０とその駆動制御回路（Ｉ／Ｆ）４０Ｄとを近接位置できるから、性能を高められる。しかも、外部ノイズの影響や電力ロスを軽減できる。
【００２８】
また、図１に示す表示面４１Ｇの下方定位置に設けられた押圧データ入力キー部５０の押圧データ入力キー５１Ｋを押圧操作して、入力された数量（例えば、“２”）も表示面４１Ｇに表示される。ただし、数量（“１”）は自動入力とし、数量“２”以上の場合に押圧データ入力キー５１Ｋを用いて入力するように形成してある。
【００２９】
この押圧データ入力キー部５０は、オーダーメニュー以外のデータを、入力するためのものでかつ入力使用頻度の高い押圧データ入力キー５１Ｋからなる。この実施形態では、図１に示す“０”〜“９”を入力する置数キー，“Ｔ”と記した転送キー，“Ｅ”と記したエンターキー，“Ｃ”と記したクリアーキーである。
【００３０】
かくすれば、押圧データ入力キー５１Ｋを、固定メニューキー６１Ｋと隣接させて他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００３１】
また、図１，図２に示す上方の定位置表示部４２は、閉じた状態を示す図２に示す覗き窓１７に対応する定位置とされている。この定位置表示部４２には、表示メニューキー４１Ｋでない情報が表示される。つまり、図１に示す見開き状態（使用状態）で表示メニューキー４１Ｋを表示可能な部位（４２）に、他の情報（例えば、呼出しメッセージ，通信エラーメッセージおよびバッテリー情報）を表示することができる。
【００３２】
したがって、表示面４１Ｇに情報表示用の専門部位を格別に設けなくてもよいから、本体（１１，１５）小型化を図りつつ見開き状態時の表示メニューキー４１Ｋの数をより増大することができる。また、結果として、ミス入力を防止できかつその後のメニュー入力をより確実に行えるとともに、業務能率を向上できる。
【００３３】
図５において、オーダー管理手段を形成するステーション（ＳＴＮ）７０は、ＣＰＵ７１，ＲＯＭ７２，ＲＡＭ７３，ＨＤＤ（ハードディスク装置）７４，キーボード（ＫＢ）７５，表示器（ＩＮＤ）７６，無線親局７８が接続されたインターフェイス（Ｉ／Ｆ）およびデーター通信回線７９用のインターフェイス（Ｉ／Ｆ）を含み、オーダーデータを座席別に一括管理可能である。
【００３４】
ＲＡＭ７３内には、オーダー（売上）ファイル７３ＯＦと座席状態管理ファイル７３ＳＦとメニューファイル７３ＭＦとが設けられている。この座席状態管理ファイル７３ＳＦは、図４に示す座席状態管理テーブル２３ＳＴの場合と同様である。
【００３５】
ここにおいて、ハンディターミナル１０の電源を投入（ＯＮ）すると、問合手段（ＣＰＵ２１，ＲＯＭ２２）が、オーダー管理手段（７０）に座席状態管理情報を問合せる（図６のＳＴ１０でＮＯ，ＳＴ１５）。
【００３６】
これを受信（図８のＳＴ３２でＹＥＳ）したオーダー管理手段（７０）側では、座席状態管理ファイル７３ＳＦを検索（ＳＴ３３）して、当該時点つまり最新の座席状態管理情報を読み出し当該ハンディターミナル１０に応答する（ＳＴ３４）。
【００３７】
当該ハンディターミナル１０では、更新制御手段（ＣＰＵ２１，ＲＯＭ２２）が、図４に示す座席状態管理テーブル２３ＳＴの状態欄を更新する（図６のＳＴ１６，ＳＴ１７）。すなわち、座席状態管理テーブル２３ＳＴに記憶された座席状態管理内容を、電源投入直後に外部（７０）から入手した最新の座席状態管理内容で更新（書き換え）することができる。したがって、各ハンディターミナル１０においてかつその場で、店舗内の各座席状態をリアルタイム的かつ正確に、しかも簡単に知ることができる。
【００３８】
すると、座席一覧表示制御手段（ＣＰＵ２１，ＲＯＭ２２）が、座席状態管理テーブル２３ＳＴを参照（検索）して各座席の使用中状態および未使用状態を判別可能に座席一覧をタッチパネル付き表示器４０（表示面４１Ｇ）に表示する（ＳＴ１０のＹＥＳ，ＳＴ１１，ＳＴ１２）。
【００３９】
例えば、使用中状態の座席は赤色，未使用状態の座席は青色として、図１に示すように表示する。
【００４０】
ここで、表示された座席一覧の中から選択された座席（表示座席キー４１Ｋ）がタッチ操作（ＳＴ１３のＹＥＳ）されると、座席入力取扱制御手段（ＣＰＵ２１，ＲＯＭ２２）が当該選択座席の入力して取り扱う（ＳＴ１４）。キー入力による従来例の場合と比較して、座席入力を迅速かつ正確に行える。
【００４１】
このように、タッチパネル付き表示器４０に表示された座席一覧の中から座席が選択入力されると、判別手段（ＣＰＵ２１，ＲＯＭ２２）が当該選択座席（例えば、図１に示す“Ａ０１”）が未使用状態であるか否かを判別する（図７のＳＴ１８）。
【００４２】
未使用状態（フラグ“０”）であると判別（ＳＴ１８のＹＥＳ）された場合には、メニュー入力画面の表示前に、必須項目入力画面表示制御手段（ＣＰＵ２１，ＲＯＭ２２）が新規オーダーに関する必須項目入力画面（図９参照）を表示する（ＳＴ１９）。
【００４３】
この必須項目入力画面に表示される必須項目には、少なくとも客人数が含まれる。忘れがちな客人数をより確実に入力することができる。なお、客人数は、置数キー（５１Ｋ）を用いて入力する。
【００４４】
また、この実施形態では、必須項目には図９に示す“客種”も含まれる。さらに、当該必須項目入力画面に表示される必須項目（例えば、“客種”）の入力内容一覧（例えば、“子供”，“青年”，“中年”，“老年”）が表示される（ＳＴ１９）。しかも、当該入力内容（“青年”）をタッチ操作すれば、当該内容を含む必須項目の入力をすることができる（ＳＴ２０のＹＥＳ）。したがって、必須項目内容を正確かつ簡単に入力することができる。
【００４５】
かくして、必須項目の入力後に、メニュー入力画面表示制御手段（ＣＰＵ２１，ＲＯＭ２２）が、必須項目入力画面（図９）に代えてメニュー入力画面（図１０）をタッチパネル付き表示器４０に表示する（ＳＴ２１）。なお、選択座席が使用中状態（フラグ“１”）の場合（ＳＴ１８のＮＯ）には、座席一覧（図１）に代えてメニュー入力画面をタッチパネル付き表示器に直ちに切替表示する。
【００４６】
図１０に示すメニュー入力画面を参照して、つまり、表示メニューキー４１Ｋをタッチ操作することによる、当該メニューを入力することができる（ＳＴ２２のＹＥＳ，ＳＴ２３）。入力された選択座席，メニュー等を含むオーダーデータは、登録制御手段によってオーダーテーブル２３ＯＴに登録（ＳＴ２４）される。
【００４７】
そして、転送（”Ｔ”）キー５１Ｋの押圧操作（ＳＴ２５のＹＥＳ）で、ステーション７０に転送される（ＳＴ２６）。ステーション７０では、このオーダーデータをオーダーファイル７３ＯＦに登録する（図８のＳＴ３０，ＳＴ３１）。この登録および会計済みによる消去によって、座席状況管理ファイル７３ＳＦは、更新される。
【００４８】
ハンディターミナル１０側では、転送後に電源がＯＦＦされる（ＳＴ２７のＹＥＳ）。節電を図りかつ電源再投入時の座席状態管理情報の更新実行を担保するためである。
【００４９】
かかる第１の実施形態では、係員は手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する。ここで、電源をＯＮする。
【００５０】
電源を投入すると、更新制御手段（２１，２２）が、座席状態管理テーブル２３ＳＴに記憶された座席状態管理内容を外部（７０）から入手した最新の座席状態管理内容に更新する（図６のＳＴ１０，ＳＴ１５〜ＳＴ１７）。
【００５１】
すると、座席一覧表示制御手段（２１，２２）は、座席状態管理テーブル２３ＳＴを参照して各座席の使用中状態および未使用状態を判別可能に、図１に示すような座席一覧（“Ａ０１”，“Ａ０２”，“Ａ０３”…）をタッチパネル付き表示器４０に表示する（ＳＴ１１〜ＳＴ１２）。
【００５２】
そして、座席入力取扱制御手段（２１，２２）は、表示された座席一覧の中から使用中状態または未使用状態の座席（例えば、“Ａ０１”…座席キー４１Ｋ）が選択してタッチ操作された場合に、当該座席（“Ａ０１”）がキー入力された場合と同様に取り扱う（ＳＴ１３，ＳＴ１４）。
【００５３】
次いで、判別手段（２１，２２）が当該選択座席（“Ａ０１”）が未使用状態であるか否かを判別する（図７のＳＴ１８）。未使用状態（フラグ“０”）であると判別（ＳＴ１８のＹＥＳ）された場合には、メニュー入力画面の表示前に、必須項目入力画面表示制御手段（２１，２２）が新規オーダーに関する必須項目入力画面（図９参照）を表示する（ＳＴ１９）。
【００５４】
この必須項目入力画面に表示される必須項目には少なくとも客人数が含まれる。また、当該必須項目入力画面に表示される必須項目（例えば、“客種”）の入力内容一覧（例えば、“子供”，“青年”，“中年”，“老年”）が表示される（ＳＴ１９）。しかも、当該入力内容（“青年”）をタッチ操作すれば、当該内容を含む必須項目の入力をすることができる（ＳＴ２０のＹＥＳ）。忘れがちな客人数を含む必須項目内容を正確かつ簡単に入力することができる。
【００５５】
しかる後に、メニュー入力画面表示制御手段（２１，２２）が、座席一覧に代えて図１０に示すメニュー入力画面をタッチパネル付き表示器４０に表示する（ＳＴ２１）。このメニュー入力画面を参照して、メニュー（例えば、“Ａ定”）を入力することができる（ＳＴ２２）。
【００５６】
制御部２０は、無線通信部（ＷＬＴ）３５を介してオーダ−管理手段（７０）から、情報を受信すると、当該情報をタッチパネル付き表示器４０の上方の定位置表示部４２に表示する。したがって、係員は、外部から覗き窓１７を通してこの情報を目読できるから、当該情報に最適な行動を迅速にとれる。例えば、押圧データ入力キー（クリアキー）５１Ｋを用いるために、本体（１１，１５）を図１に示す如く見開くと、当該情報は表示がクリアされる。
【００５７】
しかして、この実施形態によれば、各座席の使用中状態および未使用状態を判別できるように座席一覧をタッチパネル付き表示器４０に表示可能に形成し、表示された座席一覧の中から選択された座席（４１Ｋ）をタッチ操作して当該選択座席を入力可能かつ選択座席の入力後に座席一覧に代えてメニュー入力画面を表示可能に形成するとともに表示されたメニュー入力画面を参照してメニューを入力可能に形成されているので、座席入力を迅速かつ正確に行えかつこれに引き続きメユー入力することができるとともに、取扱い簡単であるから業務能率を大幅に向上できる。
【００５８】
また、座席状態管理テーブル２３ＳＴと，この座席状態管理テーブルを参照して各座席の使用中状態および未使用状態を判別可能に座席一覧をタッチパネル付き表示器４０に表示する座席一覧表示制御手段（２１，２２）と，座席入力取扱制御手段（２１，２２）と，メニュー入力画面表示制御手段（２１，２２）とを設け、表示された座席一覧の座席をタッチ操作して当該選択座席を入力可能かつメニュー入力画面を参照してメニューを入力可能に形成されているので、座席一覧表示制御手段（２１，２２）の動作タイミングを座席入力を必要とするタイミングに合わせておけば、一段と迅速に座席入力することができる。
【００５９】
また、タッチパネル付き表示器４０に表示された座席一覧の中から選択入力された座席が未使用状態である場合には、メニュー入力画面の表示前に、新規オーダーに関する必須項目入力画面を表示するものと形成されているので、新規オーダーと追加オーダーとを区別するためのキー入力をしなくてもよくかつ新規オーダーのための必須項目を確実に入力することができる。
【００６０】
また、必須項目入力画面に表示される必須項目には少なくとも客人数が含まれるものと形成されているので、忘れがちな客人数をより確実に入力することができる。
【００６１】
また、必須項目入力画面には当該必須項目入力画面に表示される必須項目の入力内容一覧が表示されるものと形成されているので、必須項目内容を正確かつ簡単に入力することができる。
【００６２】
また、必須項目入力画面に表示された入力内容一覧の中から選択した入力内容をタッチ操作することにより当該入力内容を入力することができるものと形成されているので、必須項目内容をより迅速に入力することができる。
【００６３】
また、メニュー入力画面には複数の表示メニューキー４１Ｋが含まれかつ選択された表示メニューキー４１Ｋをタッチ操作することにより当該メニューを入力することができるものと形成されているので、座席入力からメニュー入力までのオーダー入力をより迅速化できる。
【００６４】
また、座席状態管理テーブル２３ＳＴに記憶された座席状態管理内容が、電源投入直後に外部（７０）から入手した最新の座席状態管理内容に更新されるものと形成されているので、各座席状態をリアルタイム的かつ正確に、しかも簡単に知ることができる。すなわち、正確な座席入力を行える。
【００６５】
さらに、ハンディターミナル１０の固定メニューキー６１Ｋを押圧操作した場合にメニューテーブル２３ＭＴに記憶されている当該固定メニューキー６１Ｋに属する複数のメニューをタッチパネル付き表示器４０に一覧表示可能かつ表示された表示メニューキー４１Ｋをタッチ操作することにより当該メニューを入力可能であるので、ハンディターミナル１０のメニューキー４１Ｋを大幅に増大できるとともにタッチ操作でよいから取い扱いが容易であり、迅速かつ正確なメニュー入力を行える。
【００６６】
さらに、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０の表示面４１Ｇを有効利用できるとともに、品切れメニューや空きテーブル等に関する情報伝達機能を付加できる。
【００６７】
さらに、一方扉体１１の内面１１Ｉの定位置（５０）に、オーダーメニュー以外のデータを入力するためのものでかつ入力使用頻度の高い押圧データ入力キー（置数キー，伝送キーＴ，要求キーＤ，エンターキーＥ，クリアキーＣ）５１Ｋが設けられているので、この押圧データ入力キー５１Ｋを他方扉体１５側の分類キー６１Ｋと隣接させて当該他方扉体１５側に設ける場合に比較して、押圧データ入力キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００６８】
さらにまた、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００６９】
さらにまた、一方扉体１１側の表示メニューキー４１Ｋの平面面積が他方扉体１５側の固定メニューキー６１Ｋの平面面積よりも大きいので、最終的なメニュー入力頻度が多い表示メニューキー４１Ｋのミス操作を確実に防止できかつタッチ操作が一段と容易になる。この点からも、迅速なメニュー入力ができる。
【図面の簡単な説明】
【００７０】
【図１】本発明の実施形態に係る本体の見開き状態を説明するための平面図。
【図２】同じく、閉じた状態で他方扉体の外面側から見た平面図。
【図３】同じく、全体構成を説明するためのブロック図。
【図４】同じく、座席状態管理テーブルを説明するための図。
【図５】同じく、オーダー管理手段を説明するためのブロック図。
【図６】同じく、ハンディターミナル側の動作を説明するためのフローチャート（１）。
【図７】同じく、ハンディターミナル側の動作を説明するためのフローチャート（２）。
【図８】同じく、オーダー管理手段側の動作を説明するためのフローチャート。
【図９】同じく、必須項目入力画面および入力内容を説明するための図。
【図１０】同じく、メニュー入力画面および表示メニューキーを説明するための図。
【図１１】本発明および従来例にかかるハンディターミナルを使用するオーダーデータ処理装置の１例を説明するための図。
【図１２】従来例のハンディターミナル（１）を説明するための図。
【図１３】従来例のハンディターミナル（２）を説明するための図。
【符号の説明】
【００７１】
１０  ハンディターミナル
１１  一方扉体
１５  他方扉体
２０  制御部
２１  ＣＰＵ（座席一覧表示制御手段，座席入力取扱制御手段，メニュー入力画面表示制御手段）
２２  ＲＯＭ（座席一覧表示制御手段，座席入力取扱制御手段，メニュー入力画面表示制御手段）
２３  ＲＡＭ
２３ＭＴ  メニューテーブル
２３ＯＴ  オーダーテーブル
２３ＳＴ  座席状態管理テーブル
４０  タッチパネル付き表示器
４１Ｋ  座席キー，表示メニューキー
５０  押圧データ入力キー部
５１Ｋ  押圧データ入力キー
６０  固定キー部
６１Ｋ  固定メニューキー
７０  ステーション（オーダー管理手段…外部）
７１  ＣＰＵ
７２  ＲＯＭ
７３  ＲＡＭ
７３ＭＦ  メニューファイル
７３ＯＦ  オーダーファイル
７３ＳＦ  座席状態管理ファイル